(57)【特許請求の範囲】
【請求項１】
前面に吹出口と底面の反吹出口側に吸込口を備えた筐体の内部を、送風口を備えた仕切板により熱交換器室と送風機室とに区画し、同送風機室に、前記仕切板の送風口に吹出側を連通し内部に遠心ファンを収容したファンケーシングを設け、前記熱交換器室に、露受皿とその上部に気流方向に対し後傾させた熱交換器と、同熱交換器の上端に当接されるとともに前記筐体の吹出口に至る上部内壁に、断熱材を配設してなる空気調和機において、
前記断熱材と前記熱交換器上端との当接部近傍に、前記熱交換器の結露水が前記断熱材を伝い前記吹出口側に流出するのを防止するトラップを設けてなることを特徴とする空気調和機。
【請求項２】
前記トラップが、前記断熱材の前記当接部に形成された凹溝によりなることを特徴とする請求項１記載の空気調和機。
【請求項３】
前記トラップが、前記断熱材の前記当接部から前記筐体の吹出口に至る部分に形成された段部によりなることを特徴とする請求項１記載の空気調和機。
【請求項４】
前記トラップが、前記熱交換器の前記当接部に形成された切欠きによりなることを特徴とする請求項１記載の空気調和機。
【発明の詳細な説明】
【０００１】
【発明の属する技術分野】
本発明は空気調和機に係り、室内機における結露水の流出防止構造に関する。
【０００２】
【従来の技術】
図５は、従来の空気調和機の一例を示す断面図、図６は、従来の空気調和機の要部断面図である。
以下図面を参照しながら、従来の空気調和機について説明する。
【０００３】
図において１は空気調和機本体、２は遠心ファン、３は熱交換器である。
【０００４】
４は筐体で、前面に吹出口９と底面の反吹出口側に吸込口７を備えている。
４ａは仕切板であり、前記筐体４の内部を熱交換器室４ｂと送風機室４ｃとに区画し、各々同送風機室４ｃに、前記仕切板４ａの送風口に吹出側を連通し内部に遠心ファン２を収容したファンケーシング２ａを設け、露受皿８とその上部に気流方向に対し後傾させた前記熱交換器３、前記遠心ファン２を配設する。
５はフィルタであり、前記吸込口７に備えられる。
６は吸込グリルであり、前記フィルタ５の下部に開閉自在に装着される。
１０は断熱材である。
【０００５】
ところで、断熱材１０は、前記熱交換器３の上端に当接されるとともに前記筐体４の吹出口９に至る上部内壁に配設している。
【０００６】
このため、前記熱交換器３により結露した結露水は、前記熱交換器３の側面あるいは、下面を伝い下降し、前記断熱材１０の当接部に達し、さらに同断熱材１０の下面を伝い、前記吹出口９に至り外部に飛散するおそれがある問題を有していた。
【０００７】
【発明が解決しようとする課題】
本発明の目的は、前記結露水の流出、飛散を防止した空気調和機を提供することにある。
【０００８】
【課題を解決するための手段】
本発明は、上述の課題を解決するため、前面に吹出口と底面の反吹出口側に吸込口を備えた筐体の内部を、送風口を備えた仕切板により熱交換器室と送風機室とに区画し、同送風機室に、前記仕切板の送風口に吹出側を連通し内部に遠心ファンを収容したファンケーシングを設け、前記熱交換器室に、露受皿とその上部に気流方向に対し後傾させた熱交換器と、同熱交換器の上端に当接されるとともに前記筐体の吹出口に至る上部内壁に、断熱材を配設してなる空気調和機において、前記断熱材と前記熱交換器上端との当接部近傍に、前記熱交換器の結露水が前記断熱材を伝い前記吹出口側に流出するのを防止するトラップを設けてなるようにする。
【０００９】
そして、前記トラップが、前記断熱材の前記当接部に形成された凹溝によりなるようにする。
【００１０】
または、前記トラップが、前記断熱材の前記当接部から前記筐体の吹出口に至る部分に形成された段部によりなるようにする。
【００１１】
あるいは、前記トラップが、前記熱交換器の前記当接部に形成された切欠きによりなるようにする。
【００１２】
【発明の実施の形態】
図１は、本発明の空気調和機の第一の実施例を示す断面図、図２は、本発明の空気調和機の第一の実施例の空気調和機の要部断面図である。
以下、図面に基づいて本発明による空気調和機の実施例を詳細に説明する。
なお、従来と同じ部分の符号は同一とする。
【００１３】
図において１は空気調和機本体、２は遠心ファン、３は熱交換器、４は筐体で、前面に吹出口９と底面の反吹出口側に吸込口７を備えている。
４ａは送風口を備えた仕切板であり、前記筐体４の内部を熱交換器室４ｂと送風機室４ｃとに区画し、各々同送風機室４ｃに、前記仕切板４ａの送風口に吹出側を連通し内部に遠心ファン２を収容したファンケーシング２ａを設け、露受皿８とその上部に気流方向に対し後傾させた前記熱交換器３、前記遠心ファン２を内部に配設する。
５はフィルタであり、前記吸込口７に備えられる。
６は吸込グリルであり、前記フィルタ５の下部に開閉自在に装着される。
１０は断熱材であり、前記熱交換器３の上端に当接されるとともに前記筐体４の吹出口９に至る上部内壁に配設している。
これらにより、空気調和機本体１を構成している。
【００１４】
ここで、本発明により、前記断熱材１０と前記熱交換器３上端との当接部近傍に、前記熱交換器３の結露水ｄｒが前記断熱材１０を伝い前記吹出口９側に流出するのを防止するトラップとして、前記断熱材１０の前記当接部に凹溝１０ａを設けてなるようにする。
【００１５】
以上のように構成された空気調和機について以下その作用、効果について説明する。
前記トラップである凹溝１０ａを前記断熱材１０に設けたことにより、前記熱交換器３上端との当接部近傍から前記断熱材１０に前記結露水ｄｒが伝わらず、前記熱交換器３を伝い下降し、前記露受皿８に流入することになる。
この結果、前記結露水ｄｒが前記吹出口９側に流出するのを防止することができる。
【００１６】
図３は、本発明の空気調和機の第二の実施例を示す要部断面図である。
この実施例の場合、前記トラップが、前記断熱材１０の前記当接部から前記筐体の吹出口９に至る部分に形成された段部１０ｂによりなるようにする。
【００１７】
図４は、本発明の空気調和機の第三の実施例を示す要部断面図である。
この実施例の場合、前記トラップが、前記熱交換器３の前記当接部に形成された切欠き３ａによりなるようにする。
【００１８】
【発明の効果】
以上に説明したように、前面に吹出口と底面の反吹出口側に吸込口を備えた筐体の内部を、送風口を備えた仕切板により熱交換器室と送風機室とに区画し、同送風機室に、前記仕切板の送風口に吹出側を連通し内部に遠心ファンを収容したファンケーシングを設け、前記熱交換器室に、露受皿とその上部に気流方向に対し後傾させた熱交換器と、同熱交換器の上端に当接されるとともに前記筐体の吹出口に至る上部内壁に、断熱材を配設してなる空気調和機において、前記断熱材と前記熱交換器上端との当接部近傍に、前記熱交換器の結露水が前記断熱材を伝い前記吹出口側に流出するのを防止するトラップを設けてなるようにした。
この結果、結露水の流出、飛散を防止した空気調和機を提供することができる。
【図面の簡単な説明】
【図１】本発明の空気調和機の第一の実施例を示す断面図である。
【図２】本発明の空気調和機の第一の実施例の空気調和機の要部断面図である。
【図３】本発明の空気調和機の第二の実施例を示す要部断面図である。
【図４】本発明の空気調和機の第三の実施例を示す要部断面図である。
【図５】従来の空気調和機の一例を示す断面図である。
【図６】従来の空気調和機の要部断面図である。
【符号の説明】
１  空気調和機本体
２  遠心ファン
２ａ  ファンケーシング
３  熱交換器
３ａ  切欠き
４  筐体
４ａ  仕切板
４ｂ  熱交換器室
４ｃ  送風機室
５  フィルタ
６  吸込グリル
７  吸込口
８  露受皿
９  吹出口
１０  断熱材
１０ａ  凹溝
１０ｂ  段部
【図１】
0003804227.tif 000002
【図２】
0003804227.tif 000003
【図３】
0003804227.tif 000004
【図４】
0003804227.tif 000005
【図５】
0003804227.tif 000006
【図６】
0003804227.tif 000007